(57)【特許請求の範囲】
【請求項１】
引き出しを長手方向ガイド（３）に掛止するフッキング装置（１）であって、前記引き出し（２）の前面および底面の少なくとも一方に固定可能な支持ボディ（４）を備え、前記支持ボディ（４）のフッキング機構（１３）の振動指令レバー（１２）が設けられるフッキング装置（１）において、
前記支持ボディ（４）は前記引き出し（２）に固定可能なボディの第１の部分（１６）とボディの前記第１の部分（１６）に摺動自在に接続されかつ前記長手方向ガイド（３）の少なくとも長手方向に調整自在に定置可能な少なくともボディの第２の部分（１７）とを備え、前記振動指令レバー（１２）および前記フッキング機構（１３）は前記長手方向ガイド（３）の長手方向におけるその変位状態でボディの前記第２の部分（１７）に強固に拘束されており、前記長手方向ガイド（３）の長手方向において前記長手方向ガイド（３）に関して前記引き出し（２）の位置を調整すべく前記長手方向ガイド（３）の長手方向におけるボディの前記第１の部分（１６）に関してボディの前記第２の部分（１７）の位置を変更するために、少なくとも第１の調整手段がさらに設けられている
ことを特徴とするフッキング装置（１）。
【請求項２】
請求項１に記載の、引き出しを長手方向ガイド（３）に掛止するフッキング装置（１）において、
ボディの前記第２の部分（１７）は、前記長手方向ガイド（３）に関して前記引き出し（２）の位置の高さを調節するために前記長手方向ガイド（３）の長手方向に垂直である第１の方向において前記支持ボディ（４）の位置を変更するように予定された第２の調整手段を備える
ことを特徴とするフッキング装置（１）。
【請求項３】
請求項１または２に記載の、引き出しを長手方向ガイド（３）に掛止するフッキング装置（１）において、
前記支持ボディ（４）は、ボディの前記第１の部分（１６）に摺動自在に接続されかつ前記引き出しの平面に平行であるとともに前記長手方向ガイド（３）の長手方向に垂直である第２の方向において調整自在に定置可能である少なくともボディの第３の部分（４２）を備え、ボディの前記第２の部分（１７）はボディの前記第３の部分（４２）に摺動自在にさらに接続されておりかつ前記長手方向ガイド（３）の長手方向に調整自在に定置可能であり、前記長手方向 ガイド（３）に関して前記引き出し（２）の位置を横方向に調整するために、ボディの前記第２の部分（１７）およびボディの前記第３の部分（４２）を備えるアセンブリの位置をボディの前記第１の部分（１６）に関して前記第２の方向において変更するように予定された第３の調整手段がさらに設けられる
ことを特徴とするフッキング装置（１）。
【請求項４】
請求項３に記載の、引き出しを長手方向ガイド（３）に掛止するフッキング装置（１）において、
前記第３の調整手段は、前記振動指令レバー（１２）の振動の支点（２９）に関して前記第１の調整手段と同じ側に定置される
ことを特徴とするフッキング装置（１）。
【請求項５】
請求項２〜４のいずれか一項に記載の、引き出しを長手方向ガイド（３）に掛止するフッキング装置（１）において、
前記第２の調整手段は、前記第１の方向に配向された回転軸（４０）を有するボディの前記第２の部分（１７）に蝶着されたくさび形要素（３９）を備える
ことを特徴とするフッキング装置（１）。
【請求項６】
請求項５に記載の、引き出しを長手方向ガイド（３）に掛止するフッキング装置（１）において、
前記第２の調整手段は、前記くさび形要素（３９）を作動させる手動把持要素（４１）をさらに備える
ことを特徴とするフッキング装置（１）。
【請求項７】
請求項２〜６のいずれか一項に記載の、引き出しを長手方向ガイド（３）に掛止するフッキング装置（１）において、
前記第２の調整手段は、前記振動指令レバー（１２）の振動の支点（２９）に関して前記第１の調整手段とは反対側に定置される
ことを特徴とするフッキング装置（１）。
【請求項８】
請求項１〜７のいずれか一項に記載の、引き出しを長手方向ガイド（３）に掛止するフッキング装置（１）において、
前記第１の調整手段はウォームねじ（３４）に同軸状に螺合されたホイール（３３）を備え、前記ホイール（３３）はその軸を中心として１つの回転自由度を示すようにボディの前記第１の部分（１６）に拘束され、前記ウォームねじ（３４）はボディの上記第２の部分（１７）に固定されかつガイド（３）の長手方向に配向される
ことを特徴とするフッキング装置（１）。
【請求項９】
請求項８に記載の、引き出しを長手方向ガイド（３）に掛止するフッキング装置（１）において、
前記ホイール（３３）は台座（３５）に定置され、前記台座（３５）は、操作窓（３６）が重ねられるボディの前記第１の部分（１６）の中に提供され、前記ホイール（３３）を手動で作動させるためにボディの前記第２の部分（１７）の中に提供される
ことを特徴とするフッキング装置（１）。
【請求項１０】
請求項３に記載の、引き出しを長手方向ガイド（３）に掛止するフッキング装置（１）において、
前記第１の調整手段は、ボディの前記第３の部分（４２）の表面に提供される円筒ガイド孔（５４）に回転自在に拘束された円筒ピン（５３）と、前記円筒ピン（５３）によって偏心位置に支持されかつボディの前記第２の部分（１７）の表面に提供されるスロット（５６）に係合されたカム（５５）とを備える
ことを特徴とするフッキング装置（１）。
【請求項１１】
請求項１０に記載の、引き出しを長手方向ガイド（３）に掛止するフッキング装置（１）において、
前記第１の調整手段は、前記カム（５５）を作動させる手動把持要素（５７）をさらに備える
ことを特徴とするフッキング装置（１）。
【請求項１２】
請求項３に記載の、引き出しを長手方向ガイド（３）に掛止するフッキング装置（１）において、
前記第３の調整手段は、ボディの前記第１の部分（１６）の表面に提供される円筒ガイド孔（５９）に回転自在に拘束された円筒ピン（５８）と、該ピン（５８）によって偏心位置で支持されかつボディの前記第３の部分（４２）の表面に提供されるスロット（６１）に係合されたカム（６０）とを備える
ことを特徴とするフッキング装置（１）。
【請求項１３】
請求項１２に記載の、引き出しを長手方向ガイド（３）に掛止するフッキング装置（１）において、
前記第３の調整手段は、前記カム（６０）を作動させる手動把持要素（６２）をさらに備える
ことを特徴とするフッキング装置（１）。
【請求項１４】
請求項１に記載の、引き出しを長手方向ガイド（３）に掛止するフッキング装置（１）において、
ボディの前記第２の部分（１７）は、互いに平行である垂直タブ（２６）を有するベースプレート（２５）を備え、該ベースプレート（２５）は、前記長手方向ガイド（３）の長手方向にボディの前記第２の部分（１７）を摺動させるボディの前記第１の部分（１６）の対応する垂直タブ（２０、２１）と摺動自在に係合する
ことを特徴とするフッキング装置（１）。
【請求項１５】
請求項３に記載の、引き出しを長手方向ガイド（３）に掛止するフッキング装置（１）において、
ボディの前記第１の部分（１６）は、前記長手方向ガイド（３）の長手方向に垂直であるガイドリブ（５１）を有するプレート（４４）を備え、該プレート（４４）はボディの前記第３の部分（４２）のプレート（４６）の前端および後端と連携する
ことを特徴とするフッキング装置（１）。
【請求項１６】
請求項３または１５に記載の、引き出しを長手方向ガイド（３）に掛止するフッキング装置（１）において、
ボディの前記第３の部分（４２）は、前記長手方向ガイド（３）の長手方向に形成する突起（５２）を備え、該突起（５２）に対する相補的形状を有してボディの前記第２の部分（１７）に提供される凹所（７０）に摺動自在に係合される
ことを特徴とするフッキング装置（１）。
【発明の詳細な説明】
【技術分野】
【０００１】
本発明は、引き出しなどの長手方向ガイドの引き出し可能部分に引き出しなどの家具の摺動部品を接続するフッキング装置、特に、組立済みタイプのガイドの引き出し可能部分を有する引き出しの前部を制御可能な方法で接続するのにふさわしいフッキング装置に関する。
【背景技術】
【０００２】
家具において、家具の内側に固定されうる長手方向ガイドの着脱可能部分の前端に引き出しの前面および／または底面を接続するためにフッキング装置を使用することは一般に知られており、その装置は、従来、引き出しの前面および／または底面に固定されうる支持ボディと、ガイドの着脱可能部分の孔または側部空洞に係合するようにボディ自体から突き出る可動フッキング手段と、ガイドから引き出しを離脱しうるようにフッキング手段と動作可能に接続される適切な手動制御手段とを備える。
【０００３】
従来、知られているフッキング装置は、引き出しの前端部の相互位置を調節してかなりの審美的効果を実現するために、引き出し前部の横方向および／または高さを変位させることができる適切な調節手段が備えられうる。
【０００４】
しかしながら、ここ何年かの間に、長手方向における引き出しの前面調整機能をさらに設けることへの要求が生じており、特に、こうした要求は主に引き出しを閉じるために展開された人間工学に関連して生じているもので、これは、一般に「自動閉鎖」型と称する引き出しの自動再閉鎖システムを有する長手方向ガイドのかつてないほどの普及につながっている。
【発明の概要】
【発明が解決しようとする課題】
【０００５】
このような閉鎖システムは、実際に、引き出し前面の閉鎖端位置を定める停止手段を提供し、したがって、長手方向ガイドが正確に固定されない場合、前面が家具から分離された位置で停止して審美的効果を損ねてしまうおそれがある。
【０００６】
また、同様の問題は、ハンドルまたは手動把持手段の排除を目標とする確立した設計動向の中で開発された、一般に「プッシュ」タイプと称される引き出しの離脱および圧力放出システムを有する長手方向ガイドの使用に関して生じている。
【０００７】
実際に、プッシュタイプのこのようなシステムの解放機構を駆動する場合は、引き出しの前面が家具から明確に定義された距離で停止することが必須であり、したがって、長手方向ガイドを正確に固定しない場合、引き出しの前面は、家具に近くなり過ぎて、解放および引き抜き機構の駆動に必要な空間の不足を来すおそれがあり、あるいは、家具から離れ過ぎて美観を損なうことにもなりかねない。
【０００８】
先に挙げた問題および欠陥を排除するために、長手方向の前部自体の位置を調整できるように、従来は独立した調節装置が提供され、引き出しの前端部と外側壁の間に使用されている。
【０００９】
しかしながら、このような解決策は、先に挙げたように、新たな調整装置を備える必要があることから引き出しの構造が一層複雑になりかつ費用が嵩むことになる。米国特許公開公報２００４／０２２７４４０号明細書には、従来の引き出しを長手方向ガイドに掛止するフッキング装置を開示している。
【課題を解決するための手段】
【００１０】
したがって、本発明の目的は、引き出しを引き出しの長手方向ガイドの引き出し可能な部分と接続するフッキング装置を提供することであり、これによって周知の装置の限界および欠点を克服することができる。
【００１１】
この技術作業の範囲内で、本発明の主目的は、したがって、先に挙げたタイプのフッキング装置を提供することであり、この装置は、構造的に簡素であり、かつ前部自体の独立した調整装置を備えなくても引き出しの前部を正確に定置することができる。
【００１２】
本発明のさらなる目的は、先に挙げた種類のフッキング装置を提供することであり、この装置は引き出しの前面を適切に定置するのに必要な種々の規制の実施にきわめて融通性がある。
【００１３】
本発明の上記およびさらなる目的は、引き出しの前面および／または底面に固定されうる支持ボディを備え、かつガイドに支持ボディのフッキング機構の振動指令レバーが備えられる長手方向ガイドに引き出しを掛止するフッキング装置によって達成され、上記支持ボディは、引き出しに固定されうるボディの第１の部分と、ガイドの少なくとも長手方向に調整自在に定置されうるボディの上記第１の部分に摺動自在に接続されたボディの少なくとも１つの第２の部分とを備え、上記レバーおよび上記フッキング機構はガイドの長手方向におけるその変位状態でボディの上記第２の部分にしっかりと拘束されており、ガイドの長手方向においてガイドに対して引き出しの位置を調整するガイドの長手方向におけるボディの第１の部分に対してボディの上記第２の部分の位置を変更するために第１の調整手段がさらに備えられることを特徴とする。
【００１４】
好ましくは、ボディの上記第２の部分は、ガイドに対する引き出しの位置の高さを調節するためにガイドの長手方向に垂直である第１の方向に支持ボディの位置を変更しうる第２の調整手段を支持する。
【００１５】
好ましくは、上記第２の調整手段は、上記第１の方向に配向された回転軸を有するボディの上記第２の部分に蝶着されたくさび形の要素を備える。
好ましくは、上記第２の調整手段は、上記くさび形要素を作動させる手動把持要素をさらに備える。
【００１６】
好ましくは、上記第２の調整手段は、上記レバーの振動の支点に関して上記第１の調整手段とは反対側に定置される。
好ましくは、上記支持ボディは、ボディの上記第１の部分に摺動自在に接続されたボディの少なくとも１つの第３の部分を有し、ボディの少なくとも１つの第３の部分は引き出しの平面に平行でかつガイドの長手方向に直角である第２の方向に調整自在に定置可能であり、ボディの上記第２の部分はボディの上記第３の部分と摺動自在にさらに接続されており、ガイドの長手方向に調整自在に定置されており、第３の調整手段がさらに備えられ、ガイドに対する引き出しの位置の横方向を調整するために上記第２の方向にボディの上記第１の部分に対するボディの上記第２および第３の部分を備えるアセンブリの位置を変更しうる。
【００１７】
好ましくは、上記第３の調整手段は、上記レバーの振動の支点に関して上記第１の調整手段の同じ部分から定置される。
本発明の好ましい第１の実施形態では、上記第１の調整手段はウォームに同軸状に螺合されたホイールを備え、そこでホイールはそれ自体の軸を中心とする１つの回転自由度を示すようにボディの上記第１の部分に結合され、上記ウォームはガイドの長手方向に配向されてボディの上記第２の部分に固定されている。
【００１８】
好ましくは、上記ホイールは、操作窓が重ねられるボディの上記第１の部分の中に提供され、ホイールを手動で作動させるためにボディの上記第２の部分の中に提供される、台座に定置される。
【００１９】
本発明の第２の好ましい実施形態では、上記第１の調整手段は、ボディの上記第３の部分の表面に提供される円筒ガイド孔に回転自在に拘束された円筒ピンと、偏心位置に上記ピンによって支持されボディの上記第２の部分の表面に提供されるスロットに係合されるカムとを備える。
【００２０】
このような場合、上記第１の調整手段は、上記カムを作動させる手動把持要素をさらに備える。
本発明の上記第２の好ましい実施形態では、上記第３の調整手段は、ボディの上記第１の部分の表面に提供される円筒ガイド孔に回転自在に拘束された円筒ピンと、偏心位置に上記ピンによって支持されボディの上記第３の部分の表面に提供されるスロットに係合されたカムとを備える。
【００２１】
このような場合、上記第３の調整手段は、上記カムを作動させる手動把持要素をさらに備える。
【図面の簡単な説明】
【００２２】
前述の内容を、添付図面に基づき本発明の一部の好ましい（ただし、非制限的な）実施形態を参照して以下で説明する。
【図１】本発明の第１の実施形態によるフッキング装置の斜視図。
【図２】引き出しおよび長手方向ガイドとともに組み立てられた状態の図１のフッキング装置を下から見た平面図。
【図３】引き出しのガイドの長手方向におけるボディの第２の部分の調整後の図２の装置を示し、ここでは、ボディの第２の部分の並進移動の量が対向する２本の矢印の間の距離で示される。
【図４】分解された状態における図１のフッキング装置の斜視図。
【図５】本発明の第２の実施形態によるフッキング装置を下から見た平面図。
【図６】図５のフッキング装置の斜視図。
【図７】分解された状態における図４のフッキング装置の斜視図。
【発明を実施するための形態】
【００２３】
本発明の様々な好ましい実施形態における等価な部分は、同じ参照文字で示す。
先に挙げた図を参照すると、引き出し２のフッキング装置１が引き出し２の家具ハウジングの側面の内側に固定された長手方向ガイド３の着脱可能部分１４に示される。
【００２４】
フッキング装置１は、引き出し２の前面５と引き出し２の肩部６との間の角度で引き出し２の底面の外側に定置された支持ボディ４を備える。
支持ボディ４は、ガイド３に対する支持ボディ４のフッキング機構１３の振動指令レバー１２が備えられる。
【００２５】
フッキング機構１３は、ガイド３の着脱可能部分１４に作られた座１５に係合するガイド３の着脱可能部分１４への引き出し２のフッキング位置と、座１５から離脱される解放位置との間で移動自在である。
【００２６】
有利には、支持ボディ４は、引き出し２に固定可能なボディの第１の部分１６と、ボディの第１の部分１６と摺動自在に接続されたボディの少なくとも１つの第２の部分１７とを有しており、ボディの少なくとも１つの第２の部分１７はガイド３の少なくとも長手方向に調整自在に定置されうる。
【００２７】
レバー１２およびフッキング機構１３は、ガイド３の長手方向において、ボディの第１の部分１６に対するその変位状態でボディの上記第２の部分１７にしっかりと拘束される。
【００２８】
特に、レバー１２は、ボディの第２の部分１７に蝶番軸２９によって蝶着され、フッキング機構１３とレバー１２の蝶番軸２９に関して互いに反対側に定置されたレバー１２の手動把持要素との両方の一体成形品で作られる。
【００２９】
レバー１２は、フッキング機構１３をフッキング位置に自動的に再装着する弾性要素３１と対照的にフッキング機構１３を解放位置に戻すという意味で振動しうる。
弾性要素２５は、レバー１２とともに一体成形品として作られ、ボディの第２の部分１７の表面に作られた止め具３２にその自由端を有する可撓性板ばねを備える。
【００３０】
有利には、フッキング装置１は、引き出し２の前面調整用、すなわち、ガイド３の長手方向におけるガイド３に対する引き出し２の位置の調整用としてガイド３の長手方向におけるボディの第１の部分１６に対するボディの第２の部分１７の位置を変更しうる第１の調整手段を有する。
【００３１】
ボディの第２の部分１７は、ガイドの長手方向と、ガイド３に対する引き出し２の位置の高さを調節する引き出し２の底面とに垂直な、第１の方向における支持ボディ４の位置を変更しうる第２の調整手段をさらに支持する。
【００３２】
第２の調整手段は、レバー１２の蝶番軸に関して上記第１の調整手段の反対側に定置され、レバー１２の蝶番軸２９に平行である上記第１の方向に配向された蝶番軸４０によってボディの第２の部分１７に蝶着されたくさび形要素３９と、くさび形要素３９とともに一体成形品で作られたくさび形要素３９を駆動する手動把持要素４１とを備える。
【００３３】
ここで、図１〜４に示す本発明の第１の好ましい実施形態を特に参照する。
ボディの第１の部分１６は、引き出し２の底面の外側に存在しうるベースプレート１８を有する。
【００３４】
ベースプレート１８は、その先端に、引き出し２の前面５の内側に存在するように予定された直交フィン１９と、その外側縁に、２つの直交フィン２０、そしてその外部側縁にフィン２０と連携してガイド３の長手方向におけるボディの第２の部分１７の摺動を案内するように予定された直交フィン２１とを有する。
【００３５】
ベースプレート１８およびフィン１９は、ボディの第１の部分１６を引き出し２に固定するための孔２２、２３を有する。
ベースプレート１８の外部側縁は、２つの平行な互いに偏位された長さの部分を有しており、この部分から、最も内側のフィン２０と引き出し２の肩部６との間に横方向に閉じ込められてガイド３の着脱可能部分１４の前端の位置決め空間を形成するように２つのフィン２０がガイド３の長手方向に直角な方向に突き出ている。
【００３６】
ボディの第２の部分１７は、ガイド３の長手方向にボディの第２の部分１７の摺動を案内するためのベースプレート１８の直交フィン２０、２１に摺動自在に係合する互いに偏位された平行な直交フィン２６を有するベースプレート２５を有する。
【００３７】
また、ベースプレート２５の外部側縁は、前部ガイドの着脱可能な部分１４の前端の位置決め空間を区切るベースプレート１８のフィン２０に接近するための互いに偏位された２つのフィン２６を有する。
【００３８】
ベースプレート２５は、並列配向を有しガイド３の長手方向においてベースプレート１８に対するベースプレート２５の摺動を可能にするのに適したプレート１８と２５との相互係合のために、摺動歯２８がベースプレート１８から突き出して係合する適切なスロット２７を有する。
【００３９】
第１の調整手段は、ウォームねじ３４に同軸状に螺合されたホイール３３を備える。
ホイール３３はそれ自体の軸を中心とした１つの回転自由度を有するようなボディの第１の部分１６に結合されるが、ウォームねじ３４はボディの上記第２の部分１７に固定されてガイド３の長手方向に配向される。
【００４０】
特に、ホイール３３は、ベースプレート１８の表面に提供され、ホイール３３の軸方向への移動を阻止しウォームねじ３４を収納するアーチ形状７２を先端方向に有する肩部７１を有する台座３５に定置される。
【００４１】
台座３５には、操作窓３６が重ねられて、ホイール３３を手動で作動させるためにベースプレート２５の表面に提供される。
ウォームねじ３４は、ベースプレート２５の表面に提供される操作窓３６の前側を区切る壁の台座３８に収納される皿頭３７を有する。
【００４２】
本質的に、回転するときに平行移動できないホイール３３は、ガイド３の長手方向への平行移動中にウォームねじ３４を駆動し、その結果、ベースプレート２５と、レバー１２と、レバー１２と一体のフッキング機構１３とを駆動する。このようにして、引き出し２の前面調整が達成される。
【００４３】
引き出しの高さ調整は、代わりに引き出し２の底面とガイド３との間に入り込むくさび形要素３９を回転することによって達成されうる。くさび形要素３９の回転角度は、調整量を決定する。
【００４４】
ここで、引き出し２の横方向調整も可能であるという事実に基づき第１の実施形態とは機能的に異なる本発明の第２の好ましい実施形態を参照する。
この場合、支持ボディ４もボディの第１の部分１６に摺動自在に接続されたボディの第３の部分４２を有し、第３の部分４２はガイド３の上記第１の方向と上記第２の長手方向の両方に垂直な第２の方向に調整自在に定置されうる。
【００４５】
ボディの第２の部分１７は、ボディの第３の部分４２とさらに摺動自在に接続され、ガイド３の長手方向に調整自在に定置されうる。
第３の調整手段がさらに提供され、ガイド２に対する引き出し３の位置の横方向調整のために上記第２の方向におけるボディの第１の部分１６に対してボディの第２の部分１７および第３の部分４２を備えるアセンブリの位置を変更することができる。
【００４６】
第３の調整手段は、レバー１２の振動の支点に関して第１の調整手段の同じ部分から定置される。
ボディの第１の部分１６はベースプレート４４を備え、ボディの第２の部分１７はベースプレート４５を備え、ボディの第３の部分４２はベースプレート４４と４５の間に挿置されたプレート４６を備える。
【００４７】
また、この場合、ベースプレート４４および４５の外部側縁は、ガイド３の着脱自在な部分１４の前端の位置決め空間を有する。
ベースプレート４５は、第１の歯４８が引き出し３の前面を調整するためにガイド３の長手方向におけるプレート４４に対してベースプレート４５を摺動させるのに適する平行配向されたプレート４４と４５の間で相互係合するベースプレート４４から突き出て摺動自在に係合する第１のスロット４７と、第２の歯５０が引き出し３の横方向を調整するために上記第２の方向におけるプレート４４に対してプレート４５を摺動させるのに適する平行配向されたプレート４４と４５の間で相互係合するプレート４４から突き出て摺動自在に係合する第２のスロット４９とを有する。
【００４８】
プレート４６は、ガイド３の長手方向と直角にプレート４４に摺動自在に結合され、プレート４４に設けられて、上記第２の方向にプレート４４に対してプレート４６を摺動自在に導くようにプレート４６の前端および後端と連携するガイドリブ５１によって、ガイド３の長手方向にプレート４４自体とさらに一体になっている。
【００４９】
プレート４６はプレート４６の表面に提供される突起５２によって上記第２の方向に変位状態でプレート４５と一体とされており、プレート４６はガイド３の長手方向に延び、プレート４５をプレート４６に対してガイド３の長手方向に摺動自在に導くためにプレート４５の中に提供される共役形状の凹所７０に摺動自在に係合される。
【００５０】
第１の調整手段は、プレート４６の表面に提供される円筒ガイド孔５４の内側に枢動可能に結合された円筒ピン５３と、偏心位置にピン５３によって支持されベースプレート４５の表面に提供される細長い孔５６に係合された円形のカム５５とを備える。
【００５１】
第１の調整手段は、カム５５を駆動する手動把持要素５７をさらに備える。
手動把持要素５７は、細長い孔５６の外にあるカム５５の部分から半径方向に突き出ている。
【００５２】
引き出し２の前面を調整するために、把持要素５７は、回転されて細長い孔５６に干渉する偏心カム５５を駆動し、プレート４５をプレート４６に対してガイド３の長手方向に平行移動させる。
【００５３】
第３の調整手段は、プレート４４の表面に提供される円筒ガイド孔５９に枢動可能に結合された円筒ピン５８と、偏心位置にピン５８によって支持されプレート４６の表面に提供される細長い孔６１に係合された円形のカム６０とを備える。
【００５４】
第３の調整手段は、カム６０を作動させる手動把持要素６２をさらに備える。
手動把持要素６２は、細長い孔６１の外側のカム６０の部分から半径方向に突き出ている。
【００５５】
引き出し２の横方向を調整するために、手動把持要素６２は、回転されて細長い孔６１に干渉する偏心カム６０を駆動し、プレート４５および４６をプレート４４に対して上記第２の方向への一体的な平行移動を開始させる。
【００５６】
引き出しの高さ調整は、レバー４１を作動させる前述の場合と同様に行われる。
したがって、本発明は、引き出しの上記の正確な前面の調整と最終的な横方向および高さの調整とを実施する、特に簡単で融通性のあるフッキング装置を提供する。
【００５７】
当然ながら、本発明によるフッキング装置は、前面の調整のみ、または前面および横方向の調整のみ、または前面および高さの調整のみ、または前面および横方向および高さの調整のいずれも提供しうる。
【００５８】
このように着想されたフッキング装置は、本発明概念の全範囲内で多くの修正および変更が可能であり、さらに、すべての詳細が技術的に等価な要素に置き換えられうる。
実際に、使用される材料、また寸法は、必要性および従来技術に応じていかなる種類のものであってもよい。
【図１】
0005903441.tif 000002
【図２】
0005903441.tif 000003
【図３】
0005903441.tif 000004
【図４】
0005903441.tif 000005
【図５】
0005903441.tif 000006
【図６】
0005903441.tif 000007
【図７】
0005903441.tif 000008